(57)【特許請求の範囲】
【請求項１】
装着されたロールペーパーの上面に当接する紙切板を備え、該紙切板の前記ロールペーパーへの加圧力を発生させることのできるおもりを、おもりケースの収納凹部内に収納させ、
該おもりケースの側面には側方へ突出した係止突片が形成されており、前記紙切板の裏面に形成されている引掛け片に前記おもりケースの係止突片をスライドさせて引掛けて取り付けて、前記紙切板の裏面と前記ロールペーパーとの間におもりを着脱可能に配置し、前記紙切板の前記ロールペーパーへの加圧力を調整できるように構成したことを特徴とする紙巻器。
【請求項２】
前記おもりは、交換あるいは追加して重さを変更できるように構成したことを特徴とする請求項１に記載の紙巻器。
【請求項３】
前記紙切板の裏面に引掛け片を複数設け、前記おもりの取付位置を変更できるように構成したことを特徴とする請求項１に記載の紙巻器。
【発明の詳細な説明】
【０００１】
【発明の属する技術分野】
この発明は、紙巻器に関するものである。
【０００２】
【従来の技術】
従来、片手で紙を引き出し切断することのできるワンハンドカット式紙巻器においては、装着されるロールペーパーの上面に紙切板が加圧されており、その加圧力は一定に設定されているタイプのものがある（例えば、特許文献１参照。）。
【０００３】
【特許文献１】
実開平６−７７６８７号公報
【０００４】
【発明が解決しようとする課題】
なお、装着されるロールペーパーには、ちぎり易い紙質のものや、ちぎり難い紙質のもの等、種々のものが存在し、紙によっては、加圧力が強すぎて紙巻器から引き出せなかったり、逆に加圧力が弱すぎて紙が片手で切れなかったりして、使用に適した紙が限定されてしまうという問題点があった。
【０００５】
【課題を解決するための手段】
本発明は、上記従来の問題点に鑑み案出したものであって、ちぎり易い紙質のロールペーパーであっても、また、ちぎり難い紙質のロールペーパーであっても、良好に片手で引き出し切断して使用することのできる紙巻器を提供せんことを目的とし、その第１の要旨は、装着されたロールペーパーの上面に当接する紙切板を備え、該紙切板の前記ロールペーパーへの加圧力を発生させることのできるおもりを、おもりケースの収納凹部内に収納させ、該おもりケースの側面には側方へ突出した係止突片が形成されており、前記紙切板の裏面に形成されている引掛け片に前記おもりケースの係止突片をスライドさせて引掛けて取り付けて、前記紙切板の裏面と前記ロールペーパーとの間におもりを着脱可能に配置し、前記紙切板の前記ロールペーパーへの加圧力を調整できるように構成したことである。
また、第２の要旨は、前記おもりは、交換あるいは追加して重さを変更できるように構成したことである。
また、第３の要旨は、前記紙切板の裏面に引掛け片を複数設け、前記おもりの取付位置を変更できるように構成したことである。
【０００６】
【発明の実施の形態】
図１は、参考例の紙巻器の斜視構成図であり、紙巻器１は、ロールペーパーを支持できる支持爪３，３を備えた本体２の上面側に、上下方向に開閉可能に紙切板４が設けられており、この紙切板４は、軸５を介し上下方向に回動できるものであり、先端側には刃６が設けられている。
本例においては、この紙切板４の裏面に、磁石または粘着テープ等で着脱可能におもり２０を取り付けできるように構成されており、おもり２０を、紙切板４の裏面の刃６に近いＰ１の位置に取り付けた場合には、この紙切板４が本体２に装着されたロールペーパーの上面に当接する際に、強い加圧力でロールペーパーの上面に当接されるものとなり、ロールペーパーが厚くちぎり難い紙質の場合でも、良好な加圧力が得られて、片手で切断することができるものとなる。
【０００７】
また、このおもり２０を、紙切板４の裏面の中央部のＰ２の位置に取り付けた場合には、ロールペーパーの紙質がやや薄くて引き出し難い場合にも、良好な加圧力により片手で切断できるものとなる。
また更に、おもり２０を、軸５に近いＰ３の位置に取り付けた場合には、ロールペーパーが、非常に薄く、ちぎり易い紙質の場合にも、良好に引き出して使用することができるものとなる。
このように、おもり２０を紙切板４の裏側に取り付ける位置を変更して、加圧力を良好に調整することができ、あらゆる紙質のロールペーパーに対応できるものとなる。
【０００８】
なお、重さの異なる数種類のおもり２０を用意しておけば、重さの違うものと交換して、更に加圧力を良好に調整することが可能となる。
更には、おもり２０を薄い板状のもので構成しておき、おもり２０の数を追加して、重さを増加させ、加圧力を調整できるように構成することもできる。
【０００９】
図２は、引掛け式でおもりを取り付ける本発明の実施例の紙切板の分解斜視図を示しており、おもり２０は、おもり収納凹部２１ａを凹み状に形成したおもりケース２１で構成されており、このおもりケース２１の左右の側面には、側方へ突出して係止突片２１ｂ，２１ｂが一対上下に形成されており、一方側の係止突片２１ｂには、ストッパー片２１ｃがＬ字状に設けられている。
一方、紙切板４の裏側の左右両側縁に垂下状に一体形成されている側縁垂下片７，７の内側に、おもりケース２１を着脱可能に引掛けて掛止できる、複数の引掛け片８ａ，８ｂ，８ｃ，８ｄが、刃６側から軸５側に亘り間隔をおいて形成されている。この紙切板４の断面構成図を図３に示す。
【００１０】
このような構成では、おもりケース２１のおもり収納凹部２１ａ内に、板状のおもりを複数枚収納させた状態で、おもり収納凹部２１ａが隠蔽されるように、図２のように反転させて、紙切板４におもりケース２１を取り付けることができる。
この時に、紙切板４の引掛け片８ａ，８ｂに、おもりケース２１の係止突片２１ｂ，２１ｂをスライドさせて引掛け、ストッパー片２１ｃを引掛け片８ｂに当接させて位置決めし、おもりケース２１を、紙切板４の裏側の刃６側のＰ１位置に取り付けることができ、また、引掛け片８ｂ，８ｃに引掛けることにより、紙切板４の中央部のＰ２の位置に取付位置を変更させることができ、更に、引掛け片８ｃと８ｄ間に引掛けることにより、軸５側のＰ３の位置に取付位置を変更させることができるものとなり、取付位置を変更させることで加圧力を適宜調整できるものとなる。
【００１１】
なお、おもりケース２１のおもり収納凹部２１ａ内には、例えば板状のステンレス板を、２枚，３枚あるいは４枚収納させて、ステンレス板の枚数を追加することにより、重さを変更させて、加圧力を調整できるものである。
【００１２】
【発明の効果】
本発明の紙巻器は、装着されたロールペーパーの上面に当接する紙切板を備え、該紙切板の前記ロールペーパーへの加圧力を発生させることのできるおもりを、おもりケースの収納凹部内に収納させ、該おもりケースの側面には側方へ突出した係止突片が形成されており、前記紙切板の裏面に形成されている引掛け片に前記おもりケースの係止突片をスライドさせて引掛けて取り付けて、前記紙切板の裏面と前記ロールペーパーとの間におもりを着脱可能に配置し、前記紙切板の前記ロールペーパーへの加圧力を調整できるように構成したことにより、あらゆる紙質のロールペーパーを良好に引き出して、片手で切断して使用することができるものとなる。
さらに、おもりをおもりケース内に入れるように構成したので、必要に応じておもりを変更することが容易であり、紙切板へおもりケースを取り付ける際も、スライドさせることで容易に取り付けることができるものとなる。また、おもりを紙切板の裏面とロールペーパーとの間に配置したことで、使用時におもりが見えずに見栄えが良い。
【００１３】
また、前記おもりは、交換あるいは追加して重さを変更できるように構成したことにより、重さの異なるおもりに交換したり、あるいは、おもりの数を追加して重さを変更させることにより、紙切板の加圧力を良好に調整できるものとなる。
【００１４】
また、前記紙切板の裏面に引掛け片を複数設け、前記おもりの取付位置を変更できるように構成したことにより、おもりの取付位置を適宜変更して、紙切板の加圧力を良好に調整できるものとなる。
【図面の簡単な説明】
【図１】  おもりの取付位置を変更できるように構成した紙巻器の斜視構成図である。
【図２】  紙切板の裏側に引掛け片を設けて、引掛け式でおもりを取り付けできるように構成した分解斜視図である。
【図３】  図２の紙切板の断面構成図である。
【符号の説明】
１  紙巻器
２  本体
３  支持爪
４  紙切板
５  軸
６  刃
７  側縁垂下片
８ａ，８ｂ，８ｃ，８ｄ  引掛け片
２０  おもり
２１  おもりケース
２１ａ  おもり収納凹部
２１ｂ  係止突片
２１ｃ  ストッパー片
Ｐ１，Ｐ２，Ｐ３  取付位置
【図１】
0003961921.tif 000002
【図２】
0003961921.tif 000003
【図３】
0003961921.tif 000004